(57)【要約】【課題】特別な装置などを付加することなく、衛生洗浄装置の袖部の横幅を小さくすることを目的とする。【解決手段】便器の上に設置され衛生洗浄機能部を内蔵した本体部と、前記本体部の側方から前方に向かって延設された袖部と、を備え、前記袖部は、平板状の基板と、前記基板の少なくとも一面に実装された複数のスイッチと、を有するスイッチ基板と、前記複数のスイッチへの入力を実行することにより前記衛生洗浄機能部の動作を指示可能な操作部と、を有し、前記スイッチ基板は、前記複数のスイッチが実装された面が前記便器の側および前記便器とは反対の側の少なくともいずれかを向くように、前記袖部の内部において鉛直姿勢に立設されたことを特徴とする衛生洗浄装置が提供される。【選択図】図１
2011047172.tif 000002
【特許請求の範囲】
【請求項１】
便器の上に設置され衛生洗浄機能部を内蔵した本体部と、前記本体部の側方から前方に向かって延設された袖部と、を備え、
前記袖部は、
平板状の基板と、前記基板の少なくとも一面に実装された複数のスイッチと、を有するスイッチ基板と、
前記複数のスイッチへの入力を実行することにより前記衛生洗浄機能部の動作を指示可能な操作部と、
を有し、
前記スイッチ基板は、前記複数のスイッチが実装された面が前記便器の側および前記便器とは反対の側の少なくともいずれかを向くように、前記袖部の内部において鉛直姿勢に立設されたことを特徴とする衛生洗浄装置。
【請求項２】
前記袖部は、前記スイッチの機能を表す機能表示部を上面に有し、
前記操作部は、キートップを有し、
前記キートップは、
前記袖部の上面に設けられ、使用者の操作により下方に押圧される押圧部と、
前記押圧部からみて鉛直方向の下方に向かって延在し、前記押圧部が下方に押圧される力を水平方向に作用する力へと変換して前記スイッチに伝達することにより、前記スイッチへの入力を実行する伝達部と、
を有することを特徴とする請求項１記載の衛生洗浄装置。
【請求項３】
前記袖部は、前記スイッチの機能を表す機能表示部を上面に有し、
前記スイッチ基板は、前記基板の表裏両面において前記スイッチがそれぞれ実装され、
前記操作部は、前記袖部における前記便器の側の側面と、前記袖部における前記便器とは反対の側の側面と、の両側面に配設されたことを特徴とする請求項１記載の衛生洗浄装置。
【請求項４】
前記袖部は、前記スイッチの機能を表す機能表示部を上面に有し、
前記操作部は、前記袖部における前記便器とは反対の側の側面のみに配設されたことを特徴とする請求項１記載の衛生洗浄装置。
【請求項５】
前記袖部は、
前記基板に実装され、前記スイッチにより設定された状態に基づいて光を放出する発光部と、
前記袖部の上面に設けられ、前記発光部から放出された光を透過させて前記スイッチにより設定された状態を表示可能な状態表示部と、
前記発光部から放出された光を前記状態表示部に案内する案内部と、
をさらに有することを特徴とする請求項２〜４のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
例えば、局部洗浄機能や温風乾燥機能などを備えた衛生洗浄装置がある。このような衛生洗浄装置のなかには、局部洗浄機能や温風乾燥機能などの諸機能の動作を操作するためのスイッチが、衛生洗浄装置の本体の側方から前方に向かって延在した部分に設けられたものがある（特許文献１）。
【０００３】
しかしながら、衛生洗浄装置においては、局部洗浄開始や、ビデ洗浄開始や、温風乾燥開始や、これらの機能の停止や、局部洗浄などの水勢調整や、温水温度調整や、便座温度調整などのように、操作を必要とする機能が多い場合がある。この場合には、機能の動作を操作するスイッチが多くなり、そのスイッチを実装する基板の面積は大きくなる。そのため、スイッチが設けられた部分（袖部）の面積や体積は大きくなり、その袖部は、衛生洗浄装置のケーシングや便器の側方に大きく張り出してしまう。そうすると、トイレ室（例えば、便器の奥の方）の清掃を行うことが困難になるという問題がある。
【０００４】
これに対して、スイッチを有した回路基板を便座ボックスの本体部内に配置し、袖部に設けた押圧部と回路基板のスイッチとを動力伝達用ケーブルにて連動させた温水洗浄装置がある（特許文献２）。
【０００５】
しかしながら、特許文献２に記載された温水洗浄装置では、全ての押圧部とスイッチとを動力伝達用ケーブルでそれぞれ接続させるため、動力伝達用ケーブルを配置するスペースを確保する必要がある。そのため、袖部を小さくすることが困難となるおそれがある。また、全ての押圧部とスイッチとを動力伝達用ケーブルによりそれぞれ接続させるため、コストがかかるという問題がある。
【先行技術文献】
【特許文献】
【０００６】
【特許文献１】特開２００１−１１９２１号公報
【特許文献２】特許第４１５８３２９号公報
【発明の概要】
【発明が解決しようとする課題】
【０００７】
本発明は、かかる課題の認識に基づいてなされたものであり、特別な装置などを付加することなく、衛生洗浄装置の袖部の横幅を小さくすることを目的とする。
【課題を解決するための手段】
【０００８】
第１の発明は、便器の上に設置され衛生洗浄機能部を内蔵した本体部と、前記本体部の側方から前方に向かって延設された袖部と、を備え、前記袖部は、平板状の基板と、前記基板の少なくとも一面に実装された複数のスイッチと、を有するスイッチ基板と、前記複数のスイッチへの入力を実行することにより前記衛生洗浄機能部の動作を指示可能な操作部と、を有し、前記スイッチ基板は、前記複数のスイッチが実装された面が前記便器の側および前記便器とは反対の側の少なくともいずれかを向くように、前記袖部の内部において鉛直姿勢に立設されたことを特徴とする衛生洗浄装置である。
【０００９】
この衛生洗浄装置によれば、スイッチ基板は、袖部の内部において鉛直姿勢となるように立設され、スイッチを実装した面が便器側および便器とは反対側の少なくともいずれかを向くように設けられている。そのため、特別な装置などを付加することなく、袖部の横幅を小さくすることができる。つまり、ケーシングや便器の側方への袖部の張り出し量を小さくすることができる。これにより、袖部が占める体積や面積を小さくすることができるため、トイレ室を清掃する際に袖部が邪魔になるおそれは少ない。したがって、トイレ室や衛生洗浄装置の清掃性を向上させることができる。
【００１０】
また、第２の発明は、第１の発明において、前記袖部は、前記スイッチの機能を表す機能表示部を上面に有し、前記操作部は、キートップを有し、前記キートップは、前記袖部の上面に設けられ、使用者の操作により下方に押圧される押圧部と、前記押圧部からみて鉛直方向の下方に向かって延在し、前記押圧部が下方に押圧される力を水平方向に作用する力へと変換して前記スイッチに伝達することにより、前記スイッチへの入力を実行する伝達部と、を有することを特徴とする衛生洗浄装置である。
【００１１】
この衛生洗浄装置によれば、キートップは、押圧部と、伝達部と、を有する。そして、押圧部が下方に押圧されると、キートップは、袖部との接続部を略中心として回動する。これにより、伝達部は、押圧部が下方に押圧された力を水平方向に変換し、その力をスイッチに伝達して入力を行う。つまり、使用者は、袖部の上面に設けられた押圧部を押すことにより、衛生洗浄機能部の動作を指示することができる。また、機能表示部は、袖部の上面に表示されているため、使用者は、その機能表示部を容易に視認することができる。そのため、使用者による操作部への操作性を確保することができる。
【００１２】
また、第３の発明は、第１の発明において、前記袖部は、前記スイッチの機能を表す機能表示部を上面に有し、前記スイッチ基板は、前記基板の表裏両面において前記スイッチがそれぞれ実装され、前記操作部は、前記袖部における前記便器の側の側面と、前記袖部における前記便器とは反対の側の側面と、の両側面に配設されたことを特徴とする衛生洗浄装置である。
【００１３】
この衛生洗浄装置によれば、スイッチは、スイッチ基板の表裏両面に実装されている。そして、そのスイッチ基板は、袖部の内部において鉛直姿勢となるように立設され、スイッチを実装した面が便器側および便器とは反対側の両側面を向くように設けられている。そのため、より多くのスイッチを袖部の両側面に配置することができる。さらに、より多くのスイッチを袖部の両側面に配置することができるため、それらのスイッチを袖部の前方側（先端側）に集中的に配置することができる。これによれば、便座に着座した使用者は、操作部を操作する際に、衛生洗浄装置の側方や後方に向かって無理に身体を回転させる必要はなく、より楽な姿勢で操作部を操作することができる。
【００１４】
また、第４の発明は、第１の発明において、前記袖部は、前記スイッチの機能を表す機能表示部を上面に有し、前記操作部は、前記袖部における前記便器とは反対の側の側面のみに配設されたことを特徴とする衛生洗浄装置である。
【００１５】
この衛生洗浄装置によれば、操作部は、袖部における便器とは反対側の側面にのみ設けられている。つまり、操作部は、袖部における便器側の側面には設けられていない。そのため、操作部は、便器のボウルで跳ね返った小水などにより汚れるおそれは少ない。そのため、操作部をより清潔に保つことができる。また、機能表示部は、袖部の上面に表示されているため、使用者は、その機能表示部を容易に視認することができる。そのため、使用者による操作部への操作性を確保することができる。
【００１６】
また、第５の発明は、第２〜第４のいずれか１つの発明において、前記袖部は、前記基板に実装され、前記スイッチにより設定された状態に基づいて光を放出する発光部と、前記袖部の上面に設けられ、前記発光部から放出された光を透過させて前記スイッチにより設定された状態を表示可能な状態表示部と、前記発光部から放出された光を前記状態表示部に案内する案内部と、をさらに有することを特徴とする衛生洗浄装置である。
【００１７】
この衛生洗浄装置によれば、発光部から発光された光が隣接する状態表示部へ漏れることを抑制することができ、所定の状態表示部をより正確に明るく発光させることができる。そのため、状態表示部の視認性がより高まり、使用者は、そのときの設定状態をより確実に確認することができる。
【発明の効果】
【００１８】
本発明の態様によれば、特別な装置などを付加することなく、袖部の横幅を小さくすることができ、トイレ室の便器周りの清掃性を向上させることができる。
【図面の簡単な説明】
【００１９】
【図１】本発明の第１の実施の形態にかかる衛生洗浄装置を表す斜視模式図である。
【図２】本発明の第１の実施の形態にかかる衛生洗浄装置を表す斜視模式図である。
【図３】本実施形態の袖部に設けられた操作部を拡大して眺めた斜視模式図である。
【図４】本実施形態の袖部に設けられた操作部の内部構造を表す斜視模式図である。
【図５】本実施形態の袖部の内部構造を表す断面模式図である。
【図６】本実施形態の袖部の内部構造を表す断面模式図である。
【図７】本発明の第２の実施の形態にかかる衛生洗浄装置を表す斜視模式図である。
【図８】本実施形態の袖部に設けられた操作部を拡大して眺めた斜視模式図である。
【図９】本実施形態の袖部に設けられた操作部を拡大して眺めた斜視模式図である。
【図１０】本実施形態の袖部の内部構造を表す断面模式図である。
【図１１】本発明の第３の実施の形態にかかる衛生洗浄装置の袖部に設けられた操作部を拡大して眺めた斜視模式図である。
【図１２】本実施形態の袖部の内部構造を表す断面模式図である。
【図１３】本実施形態の変形例にかかる袖部の蓋を例示する斜視模式図である。
【図１４】本実施形態の変形例にかかる袖部の蓋を例示する斜視模式図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１および図２は、本発明の第１の実施の形態にかかる衛生洗浄装置を表す斜視模式図である。  
なお、図１は、本実施形態の便蓋が閉じた状態を表している。  
一方、図２は、本実施形態の便蓋が開いた状態を表している。
【００２１】
本実施形態にかかる衛生洗浄装置１００は、図１および図２に表したように、洋式腰掛便器（以下、説明の便宜上、単に「便器」と称する）８００の上面に設置されるケーシング２００と、このケーシング２００に対して開閉自在にそれぞれ軸支された便座３００および便蓋４００と、を備える。
【００２２】
そして、衛生洗浄装置１００は、便座３００に座った使用者の「おしり」などの洗浄を実現する局部洗浄機能部（衛生洗浄機能部）などが内蔵された本体部２１０と、局部洗浄機能部などの動作に関する指示を入力する操作部２３０が設けられた袖部２２０と、を有する。本実施形態にかかる衛生洗浄装置１００では、操作部２３０の操作ボタンは、袖部２２０の上面に設けられている。なお、図１および図２に表した衛生洗浄装置１００の操作部２３０には、４つの操作ボタンが設けられているが、操作ボタンの設置数はこれだけに限定されるわけではない。
【００２３】
本体部２１０の内部には、前述したように、局部洗浄機能部などが内蔵されている。また、例えば本体部２１０の前方部には、使用者が便座３００に座ったことを検知する着座センサ２０１が設けられている。着座センサ２０１が便座３００に座った使用者を検知している場合において、使用者が例えば袖部２２０に設けられた操作部２３０を操作すると、吐水ノズル２８０を便器８００のボウル８０１内に進出させることができる。
【００２４】
吐水ノズル２８０の先端部には、ひとつあるいは複数の図示しない吐水口が設けられている。そして、吐水ノズル２８０は、その先端部に設けられた吐水口から水を噴射して、便座３００に座った使用者の「おしり」などを洗浄することができる。
【００２５】
なお、図２に表した衛生洗浄装置１００では、吐水ノズル２８０がボウル８０１内に進出した状態を表している。また、本願明細書において「水」という場合には、冷水のみならず、加熱されたお湯も含むものとする。また、着座センサ２０１の設置位置は、図２に表した位置に限定されるわけではない。
【００２６】
本体部２１０の内部には、便座３００に座った使用者の「おしり」などに向けて温風を吹き付けて乾燥させる温風乾燥機能部や、トイレ室内に温風を吹き出してトイレ室を暖房する室内暖房機能部や、ボウル８０１内の空気を吸い込み、フィルタや触媒などを介して臭気成分を低減させる脱臭機能部などが、さらに内蔵されていてもよい。この場合でも、使用者は、袖部２２０に設けられた操作部２３０を操作することにより、それらの機能部の動作を指示することができる。
【００２７】
図３は、本実施形態の袖部に設けられた操作部を拡大して眺めた斜視模式図である。  
また、図４は、本実施形態の袖部に設けられた操作部の内部構造を表す斜視模式図である。
【００２８】
袖部２２０に設けられた操作部２３０は、図３に表したように、表面シート２３１を有する。また、操作部２３０は、図４に表したように、表面シート２３１の裏面側（人が触れる側とは反対側）に設けられたキートップ２３７ａ、２３７ｂ、２３７ｃ、２３７ｄを有する。
【００２９】
表面シート２３１には、吐水ノズル２８０から噴射される水により「おしり」の洗浄を実行する「おしり洗浄ボタン」２３３ｂや、その洗浄などを停止させる「止ボタン」２３３ａや、吐水ノズル２８０から噴射される水の水勢を調整する「水勢調整ボタン」２３３ｃ、２３３ｄなどの操作ボタンが設けられている。そして、それらの操作ボタンの上あるいは近傍において、機能の動作内容を表す文字や記号や図形などの機能表示部が表示されている。つまり、便座３００に着座した使用者は、表面シート２３１に表示された機能表示部を確認し、例えば「おしり洗浄ボタン」２３３ｂなどの操作ボタンを押すことにより、局部洗浄機能部の動作を指示することができる。
【００３０】
また、表面シート２３１には、「水勢調整ボタン」２３３ｃ、２３３ｄにより設定された水勢の状態を表示する状態表示部２３５が設けられている。より具体的には、状態表示部２３５は、袖部２２０の内部に設けられた発光部からの光を透過することにより、設定された水勢の状態を表示することができる。そのため、使用者は、現在設定されている水勢の状態を状態表示部２３５により確認することができる。
【００３１】
表面シート２３１の裏面側には、図４に表したように、「止ボタン」２３３ａ、「おしり洗浄ボタン」２３３ｂ、および「水勢調整ボタン」２３３ｃ、２３３ｄのそれぞれに対応したキートップ２３７ａ、２３７ｂ、２３７ｃ、２３７ｄが設けられている。キートップ２３７ｂは、接続部２３８ｂにおいて、袖部２２０の外形を形成するケーシング２２１に接続されている。つまり、キートップ２３７ｂと、袖部２２０の外形を形成するケーシング２２１と、は一体的に形成されている。
【００３２】
また、キートップ２３７ｂには、袖部２２０の内部に設けられた発光部からの光を通す状態表示穴２３９が設けられている。このように、本実施形態では、水勢の状態を表示する光は、「水勢調整ボタン」２３３ｃ、２３３ｄに対応したキートップ２３７ｃ、２３７ｄではなく、「おしり洗浄ボタン」２３３ｂに対応したキートップ２３７ｂに設けられた状態表示穴２３９を通して出射される。
【００３３】
そして、便座３００に着座した使用者が「おしり洗浄ボタン」２３３ｂを押すと、その力は、表面シート２３１を介してキートップ２３７ｂの上面に伝わる。そうすると、キートップ２３７ｂは、接続部２３８ｂを略中心として回動し、袖部２２０の内部に設けられたスイッチ基板のスイッチを押す。これにより、「おしり洗浄ボタン」２３３ｂに割り付けられた動作に対応する信号が、スイッチから本体部２１０に設けられた図示しない制御部に送られる。そして、制御部は、スイッチから送信された信号に基づいて局部洗浄機能部の動作を制御する。
【００３４】
これは、他のキートップ２３７ａ、２３７ｃ、２３７ｄについても同様である。すなわち、キートップ２３７ａ、２３７ｃ、２３７ｄは、接続部２３８ａ、２３８ｃ、２３８ｄにおいて袖部２２０の外形を形成するケーシング２２１に接続されている。そして、使用者が「止ボタン」２３３ａや「水勢調整ボタン」２３３ｃ、２３３ｄを押すと、キートップ２３７ａ、２３７ｃ、２３７ｄは、接続部２３８ａ、２３８ｃ、２３８ｄを略中心としてそれぞれ回動し、袖部２２０の内部に設けられたスイッチ基板のスイッチを押す。
【００３５】
次に、これらのキートップ２３７ａ、２３７ｂ、２３７ｃ、２３７ｄの動作、および袖部２２０の内部構造について、図面を参照しつつさらに詳細に説明する。  
図５および図６は、本実施形態の袖部の内部構造を表す断面模式図である。  
なお、図５および図６は、図３に表した切断面Ａ−Ａにおける断面模式図であり、図５は、キートップ２３７ｂが押される前の状態を表しており、図６は、キートップ２３７ｂが押された後の状態を表している。  
また、図５および図６に関する説明では、説明の便宜上、キートップ２３７ｂの動作、およびその近傍の内部構造を例に挙げて説明する。
【００３６】
袖部２２０の内部には、図５および図６に表したように、平板状の基板にプッシュスイッチ（スイッチ）２４１および発光部２４３を実装したスイッチ基板２４０が設けられている。スイッチ基板２４０は、鉛直姿勢となるように立設され、袖部２２０の外形を形成するケーシング２２１に適宜固定されている。ここで、本願明細書において、「鉛直姿勢」とは、図５および図６に表したように、スイッチ基板２４０の端面が略上方および略下方へ向かった姿勢をいうものとする。
【００３７】
より具体的には、スイッチ基板２４０は、プッシュスイッチ２４１および発光部２４３を実装した面が便器８００側あるいは便器８００とは反対側を向くように設けられている。なお、図５および図６に表した袖部２２０の内部構造では、スイッチ基板２４０は、プッシュスイッチ２４１および発光部２４３を実装した面が便器とは反対側を向くように設けられている。
【００３８】
キートップ２３７ｂは、押圧部２３２ｂと、伝達部２３４ｂと、を有する。押圧部２３２ｂは、キートップ２３７ｂの上面に設けられ、使用者の操作により下方に押圧される。一方、伝達部２３４ｂは、押圧部２３２ｂからみて略鉛直方向の下方に向かって延在し、押圧部２３２ｂが押圧された下向きの力を水平方向の力へと変換し伝達する。
【００３９】
より具体的には、まず、使用者が「おしり洗浄ボタン」２３３ｂを押すと、その力は、表面シート２３１を介してキートップ２３７ｂの押圧部２３２ｂに伝わる。そうすると、押圧部２３２ｂは、図６に表した矢印Ａ１のように、下方に押圧される。押圧部２３２ｂが下方に押圧されると、キートップ２３７ｂは、接続部２３８ｂを略中心として回動する。そのため、キートップ２３７ｂの伝達部２３４ｂは、図６に表した矢印Ａ２のように、プッシュスイッチ２４１に向かって移動し、そのプッシュスイッチ２４１を押す。つまり、伝達部２３４ｂは、押圧部２３２ｂが下方に押圧された力をプッシュスイッチ２４１に伝達し、そのプッシュスイッチ２４１への入力を行う。
【００４０】
これにより、図３および図４に関して前述したように、「おしり洗浄ボタン」２３３ｂに割り付けられた動作内容に対応する信号が、プッシュスイッチ２４１から本体部２１０に設けられた図示しない制御部に送られる。そして、制御部は、プッシュスイッチ２４１から送信された信号に基づいて局部洗浄機能部の動作を制御する。
【００４１】
ここで、例えば、プッシュスイッチ２４１を実装した面が上方あるいは下方を向くように、スイッチ基板２４０が袖部２２０の内部に設けられている場合を考えてみる。この場合には、その実装面が便器８００側あるいは便器８００とは反対側を向くように設けられた場合と比較すると、袖部２２０の横幅Ｗは大きくなる。これは、一般的に、基板の実装面の幅は、その基板の板厚よりも大きいためである。また、局部洗浄機能部だけではなく、例えば、温風乾燥機能部や室内暖房機能部や脱臭機能部などが本体部２１０に内蔵された場合には、より多くのプッシュスイッチ２４１がスイッチ基板２４０に実装されるため、スイッチ基板２４０の面積はより大きくなる。その結果、袖部２２０の横幅Ｗは、さらに大きくなる。
【００４２】
これにより、袖部２２０は、便器８００の側方に大きく張り出してしまう。そうすると、トイレ室（例えば、便器の奥の方）の清掃を行うことが困難になる場合がある。
【００４３】
これに対して、本実施形態にかかる衛生洗浄装置１００では、スイッチ基板２４０は、袖部２２０の内部において鉛直姿勢となるように立設され、プッシュスイッチ２４１を実装した面が便器８００側あるいは便器８００とは反対側を向くように設けられている。そのため、本実施形態にかかる衛生洗浄装置１００では、袖部２２０の横幅Ｗを小さくすることができる。つまり、便器８００の側方への袖部２２０の張り出し量を小さくすることができる。これにより、衛生洗浄装置１００の袖部２２０が占める体積や面積を小さくすることができるため、トイレ室を清掃する際に袖部２２０が邪魔になるおそれは少ない。したがって、トイレ室や衛生洗浄装置１００の清掃性を向上させることができる。
【００４４】
しかしながら、プッシュスイッチ２４１を実装した面が便器８００側あるいは便器８００とは反対側を向くように、スイッチ基板２４０が設置されると、使用者による操作部２３０への操作性が低下するおそれがある。これは、プッシュスイッチ２４１に入力を行うためには、下方ではなく水平方向に力を伝達する必要があるためである。
【００４５】
これに対して、本実施形態にかかる衛生洗浄装置１００では、キートップ２３７ｂは、押圧部２３２ｂと、伝達部２３４ｂと、を有する。そして、押圧部２３２ｂが下方に押圧されると、キートップ２３７ｂは、接続部２３８ｂを略中心として回動する。これにより、伝達部２３４ｂは、押圧部２３２ｂが下方に押圧された力を水平方向に変換し、その力をプッシュスイッチ２４１に伝達して入力を行う。つまり、使用者は、袖部２２０の上面に設けられた「おしり洗浄ボタン」２３３ｂなどの操作ボタンを押すことにより、局部洗浄機能部などの動作を指示することができる。
【００４６】
さらに、機能の動作内容を表す文字や記号や図形などの機能表示部は、袖部２２０の上面に表示されているため、使用者は、その機能表示部を容易に視認することができる。そのため、プッシュスイッチ２４１を実装した面が便器８００側あるいは便器８００とは反対側を向くように、スイッチ基板２４０が設置されることにより生ずる新たな課題を解決することができる。
【００４７】
また、キートップ２３７ｂは、スイッチ基板２４０に実装された発光部２４３から発光された光を状態表示部２３５に案内する案内部２３６を有する。案内部２３６の一端から入射した光は、案内部２３６の内部を通り、案内部２３６の他端に設けられた状態表示穴２３９を通過して表面シート２３１の状態表示部２３５から出射される。これにより、発光部２４３から発光された光が、隣接する状態表示部２３５へ漏れるおそれは少ない。つまり、案内部２３６は、発光部２４３から発光された光を対応する状態表示部２３５へより確実に導くことができる。そのため、使用者は、現在設定されている水勢の状態をより確実に状態表示部２３５により確認することができる。
【００４８】
また、本実施形態にかかる衛生洗浄装置１００では、図３に表したように、「おしり洗浄ボタン」２３３ｂなどの操作ボタンやキートップ２３７ｂなどは、袖部２２０の便器８００側の側面には設けられていない。つまり、操作ボタンやキートップ２３７ｂなどは、便器８００とは反対側の袖部２２０の側面にのみ設けられている。そのため、「おしり洗浄ボタン」２３３ｂやキートップ２３７ｂなどは、便器８００のボウル８０１で跳ね返った小水などにより汚れるおそれは少ない。そのため、本実施形態にかかる衛生洗浄装置１００では、操作部２３０をより清潔に保つことができる。
【００４９】
以上説明したように、本実施形態によれば、スイッチ基板２４０は、袖部２２０の内部において鉛直姿勢となるように立設され、プッシュスイッチ２４１を実装した面が便器８００側あるいは便器８００とは反対側を向くように設けられている。そのため、特別な装置などを付加することなく、袖部２２０の横幅Ｗを小さくすることができる。また、機能の動作内容を表す文字や記号や図形などの機能表示部は、袖部２２０の上面に表示されているため、使用者は、その機能表示部を容易に視認することができる。そのため、プッシュスイッチ２４１を実装した面が便器８００側あるいは便器８００とは反対側を向くように、スイッチ基板２４０が設置されることにより生ずる新たな課題を解決することができる。
【００５０】
なお、図５および図６に関する説明では、説明の便宜上、キートップ２３７ｂの動作、およびその近傍の内部構造を例に挙げて説明したが、他のキートップ２３７ａ、２３７ｃ、２３７ｄの動作、およびその近傍の内部構造についても同様である。
【００５１】
次に、本発明の第２の実施の形態について説明する。  
図７は、本発明の第２の実施の形態にかかる衛生洗浄装置を表す斜視模式図である。  
なお、図７は、本実施形態の便蓋が閉じた状態を表している。
【００５２】
本実施形態にかかる衛生洗浄装置１００では、操作部２３０の操作ボタンは、便器８００とは反対側の袖部２２０の側面に設けられている。なお、本実施形態にかかる衛生洗浄装置１００においても、操作ボタンの設置数はこれだけに限定されるわけではない。その他の構造については、第１の実施の形態にかかる衛生洗浄装置の構造と同様である。
【００５３】
図８および図９は、本実施形態の袖部に設けられた操作部を拡大して眺めた斜視模式図である。  
なお、図８は、便器８００とは反対側から袖部２２０を眺めた斜視模式図であり、図９は、便器８００側から袖部２２０を眺めた斜視模式図である。
【００５４】
本実施形態の袖部２２０に設けられた操作部２３０は、図８および図９に表したように、表面シート２３１を有する。また、本実施形態の操作部２３０は、表面シート２３１の裏面側に設けられたキートップを有する。このキートップについては、後に詳述する。
【００５５】
表面シート２３１は、袖部２２０の上面から便器８００とは反対側の側面にわたって延在している。そして、便器８００とは反対側の袖部２２０の側面における表面シート２３１には、「止ボタン」２３３ａや、「おしり洗浄ボタン」２３３ｂや、「やわらか洗浄ボタン」２３３ｅや、「ビデ洗浄ボタン」２３３ｆや、「乾燥ボタン」２３３ｇや、「水勢調整ボタン」２３３ｃ、２３３ｄなどの操作ボタンが設けられている。
【００５６】
一方、それらの操作ボタンに割り付けられた機能の動作内容を表す機能表示部は、図８および図９に表したように、袖部２２０の上面における表面シート２３１にそれぞれ表示されている。より具体的には、各操作ボタンに関する機能表示部は、便座３００に着座した使用者からみて各操作ボタンの手前側、すなわち各操作ボタンから表面シート２３１の表面に沿って上方および右側方に位置する袖部２２０の上面にそれぞれ表示されている。そのため、使用者は、袖部２２０の上面における表面シート２３１に表示された機能表示部を確認し、その機能表示部の位置から表面シート２３１の表面に沿って左側方および下方に手をスライドさせ、その位置に設置された操作ボタンを押すことにより、機能表示部に表示された動作を指示することができる。
【００５７】
また、袖部２２０の上面における表面シート２３１には、水勢の状態を表示する状態表示部２３５ａや、吐水ノズル２８０の位置を表示する状態表示部２３５ｂや、吐水ノズル２８０から噴射される水の温度状態を表示する状態表示部２３５ｃや、「おまかせタイマー」の状態を表示する状態表示部２３５ｄや、衛生洗浄装置１００の運転状態を表示する状態表示部２３５ｅなどが設けられている。これらの状態表示部２３５ａ〜２３５ｅは、図３に関して前述した状態表示部２３５と同様に、袖部２２０の内部に設けられた発光部からの光を透過することにより、設定状態をそれぞれ表示することができる。
【００５８】
次に、本実施形態の袖部２２０の内部構造について、図面を参照しつつ説明する。  
図１０は、本実施形態の袖部の内部構造を表す断面模式図である。  
なお、図１０は、図８に表した切断面Ｂ−Ｂにおける断面模式図である。  
また、図１０に関する説明では、説明の便宜上、「おしり洗浄ボタン」２３３ｂの近傍の内部構造を例に挙げて説明する。
【００５９】
袖部２２０の内部には、図１０に表したように、プッシュスイッチ２４１および発光部２４３を実装したスイッチ基板２４０が設けられている。スイッチ基板２４０は、鉛直姿勢となるように立設され、袖部２２０の外形を形成するケーシング２２１に適宜固定されている。より具体的には、スイッチ基板２４０は、プッシュスイッチ２４１および発光部２４３を実装した面が便器８００側あるいは便器８００とは反対側を向くように設けられている。なお、図１０に表した袖部２２０の内部構造では、スイッチ基板２４０は、プッシュスイッチ２４１および発光部２４３を実装した面が便器とは反対側を向くように設けられている。これらは、図５および図６に関して前述した内部構造と同様である。
【００６０】
また、表面シート２３１の裏面側には、「おしり洗浄ボタン」２３３ｂなどの操作ボタンに対応したキートップ２３７がそれぞれ設けられている。このキートップ２３７は、袖部２２０の外形を形成するケーシング２２１とは別体として、もしくは一体として設けられている。
【００６１】
使用者が「おしり洗浄ボタン」２３３ｂを押すと、その力は、表面シート２３１を介してキートップ２３７に伝わる。そうすると、キートップ２３７は、図１０に表した矢印Ａ３のように、プッシュスイッチ２４１に向かって移動し、そのプッシュスイッチ２４１を押す。つまり、キートップ２３７は、「おしり洗浄ボタン」２３３ｂが押圧された力をプッシュスイッチ２４１に伝達し、そのプッシュスイッチ２４１への入力を行う。
【００６２】
これにより、「おしり洗浄ボタン」２３３ｂに割り付けられた動作内容に対応する信号が、プッシュスイッチ２４１から本体部２１０に設けられた図示しない制御部に送られる。そして、制御部は、プッシュスイッチ２４１から送信された信号に基づいて局部洗浄機能部の動作を制御する。
【００６３】
ここで、本実施形態にかかる衛生洗浄装置１００では、スイッチ基板２４０は、袖部２２０の内部において鉛直姿勢となるように立設され、プッシュスイッチ２４１を実装した面が便器８００側あるいは便器８００とは反対側を向くように設けられている。そのため、本実施形態にかかる衛生洗浄装置１００では、袖部２２０の横幅Ｗを小さくすることができる。つまり、便器８００の側方への袖部２２０の張り出し量を小さくすることができる。そのため、図５および図６に関して前述した効果と同様の効果が得られる。
【００６４】
しかしながら、プッシュスイッチ２４１を実装した面が便器８００側あるいは便器８００とは反対側を向くように、スイッチ基板２４０が設置されると、使用者による操作部２３０への操作性が低下するおそれがある。これは、機能表示部が「おしり洗浄ボタン」２３３ｂなどの操作ボタンの上あるいは近傍に表示されると、便座３００に着座した使用者は、その機能表示部を確認することが困難となるためである。
【００６５】
これに対して、本実施形態にかかる衛生洗浄装置１００では、機能表示部は、各操作ボタンから表面シート２３１の表面に沿って上方および右側方に位置する袖部２２０の上面にそれぞれ表示されている。そのため、使用者は、その機能表示部を容易に視認することができる。そして、使用者は、機能表示部を確認し、その機能表示部の位置から表面シート２３１の表面に沿って左側方および下方に手をスライドさせることにより、その機能表示部に対応する操作ボタンを押すことができる。そのため、プッシュスイッチ２４１を実装した面が便器８００側あるいは便器８００とは反対側を向くように、スイッチ基板２４０が設置されることにより生ずる新たな課題を解決することができる。
【００６６】
また、本実施形態にかかる衛生洗浄装置１００では、「おしり洗浄ボタン」２３３ｂなどの操作ボタンやキートップ２３７などは、袖部２２０の便器８００側の側面には設けられていない。つまり、操作ボタンやキートップ２３７などは、便器８００とは反対側の袖部２２０の側面にのみ設けられている。そのため、「おしり洗浄ボタン」２３３ｂやキートップ２３７などは、便器８００のボウル８０１で跳ね返った小水などにより汚れるおそれは少ない。そのため、本実施形態にかかる衛生洗浄装置１００では、操作部２３０をより清潔に保つことができる。
【００６７】
なお、図１０に関する説明では、説明の便宜上、「おしり洗浄ボタン」２３３ｂの近傍の内部構造を例に挙げて説明したが、他の操作ボタンの近傍の内部構造についても同様である。
【００６８】
次に、本発明の第３の実施の形態について説明する。  
図１１は、本発明の第３の実施の形態にかかる衛生洗浄装置の袖部に設けられた操作部を拡大して眺めた斜視模式図である。  
なお、図１１は、便器８００側から袖部２２０を眺めた斜視模式図である。
【００６９】
本実施形態にかかる衛生洗浄装置１００では、操作部２３０の操作ボタンは、袖部２２０の側面であって、便器８００側と、便器８００とは反対側と、の両側面に設けられている。本実施形態にかかる衛生洗浄装置１００の全体的な構造は、図７に関して前述した衛生洗浄装置と同様である。
【００７０】
本実施形態の袖部２２０に設けられた操作部２３０は、図１１に表したように、表面シート２３１を有する。その表面シート２３１は、便器８００とは反対側の袖部２２０の側面から上面を通して便器８００側の側面にわたって延在している。そして、便器８００とは反対側の袖部２２０の側面における表面シート２３１には、「止ボタン」２３３ａや、「おしり洗浄ボタン」２３３ｂや、「やわらか洗浄ボタン」２３３ｅや、「ビデ洗浄ボタン」２３３ｆや、「乾燥ボタン」２３３ｇなどの操作ボタンが設けられている。つまり、便器８００とは反対側から眺めた袖部２２０の構造は、図８に表した袖部２２０の構造と同様である。
【００７１】
一方、便器８００側の袖部２２０の側面における表面シート２３１には、「水勢調整ボタン」２３３ｃ、２３３ｄや、吐水ノズル２８０による洗浄の位置を調整する「洗浄位置調整ボタン」２３３ｈ、２３３ｉや、吐水ノズル２８０から噴射される水の温度を調整する「温水温度調整ボタン」２３３ｊ、２３３ｋなどの調整ボタンが設けられている。
【００７２】
また、便器８００とは反対側の袖部２２０の側面における表面シート２３１に設けられた「おしり洗浄ボタン」２３３ｂなどの操作ボタンに割り付けられた機能の動作内容を表す機能表示部は、袖部２２０の上面における表面シート２３１にそれぞれ表示されている。これは、図８および図９に関して前述した機能表示部の表示位置と同様である。一方、便器８００側の袖部２２０の側面における表面シート２３１に設けられた「水勢調整ボタン」２３３ｃ、２３３ｄなどの操作ボタンに割り付けられた機能の動作内容を表す機能表示部は、それぞれの操作ボタンの上あるいは近傍に表示されている。
【００７３】
また、袖部２２０の上面における表面シート２３１には、種々の状態表示部２３５ａ、２３５ｂ、２３５ｃ、２３５ｄ、２３５ｅが設けられている。これは、図８および図９に関して前述した状態表示部２３５ａ〜２３５ｅと同様である。
【００７４】
次に、本実施形態の袖部２２０の内部構造について、図面を参照しつつ説明する。  
図１２は、本実施形態の袖部の内部構造を表す断面模式図である。  
なお、図１２は、図１１に表した切断面Ｃ−Ｃにおける断面模式図である。  
また、図１２に関する説明では、説明の便宜上、「おしり洗浄ボタン」２３３ｂおよび「水勢調整ボタン」２３３ｄの近傍の内部構造を例に挙げて説明する。
【００７５】
袖部２２０の内部には、図１２に表したように、プッシュスイッチ２４１および発光部２４３を実装したスイッチ基板２４０が設けられている。本実施形態では、スイッチ基板２４０の表裏両面にプッシュスイッチ２４１が実装されている。スイッチ基板２４０は、鉛直姿勢となるように立設され、袖部２２０の外形を形成するケーシング２２１に適宜固定されている。より具体的には、スイッチ基板２４０は、プッシュスイッチ２４１を実装した面が便器８００側および便器８００とは反対側の両側面を向くように設けられている。
【００７６】
また、表面シート２３１の裏面側には、「おしり洗浄ボタン」２３３ｂや「水勢調整ボタン」２３３ｄなどの操作ボタンに対応したキートップ２３７がそれぞれ設けられている。このキートップ２３７は、袖部２２０の外形を形成するケーシング２２１とは別体として、あるいは一体として設けられている。
【００７７】
使用者が「おしり洗浄ボタン」２３３ｂを押すと、その力は、表面シート２３１を介してキートップ２３７に伝わる。そうすると、キートップ２３７は、図１２に表した矢印Ａ４のように、プッシュスイッチ２４１に向かって移動し、そのプッシュスイッチ２４１を押す。これと同様に、使用者が「水勢調整ボタン」２３３ｄを押すと、その力は、表面シート２３１を介してキートップ２３７に伝わる。そうすると、キートップ２３７は、図１２に表した矢印Ａ５のように、プッシュスイッチ２４１に向かって移動し、そのプッシュスイッチ２４１を押す。つまり、キートップ２３７は、「おしり洗浄ボタン」２３３ｂや「水勢調整ボタン」２３３ｄなどの操作ボタンが押圧された力をプッシュスイッチ２４１に伝達し、そのプッシュスイッチ２４１への入力を行う。
【００７８】
ここで、本実施形態にかかる衛生洗浄装置１００では、スイッチ基板２４０の表裏両面にプッシュスイッチ２４１が実装されている。そして、そのスイッチ基板２４０は、袖部２２０の内部において鉛直姿勢となるように立設され、プッシュスイッチ２４１を実装した面が便器８００側および便器８００とは反対側の両側面を向くように設けられている。そのため、本実施形態にかかる衛生洗浄装置１００では、より多くの操作ボタンを袖部２２０の両側面に配置することができる。さらに、より多くの操作ボタンを袖部２２０の両側面に配置することができるため、それらの操作ボタンを袖部２２０の前方側（先端側）に集中的に配置することができる。
【００７９】
これによれば、便座３００に着座した使用者は、操作部２３０を操作する際に、衛生洗浄装置１００の側方や後方に向かって無理に身体を回転させる必要はなく、より楽な姿勢で操作部２３０を操作することができる。なお、第１の実施形態にかかる衛生洗浄装置では、袖部２２０の上面にのみ操作ボタンが設けられ、第２の実施形態にかかる衛生洗浄装置では、便器８００とは反対側の袖部２２０の側面にのみ操作ボタンが設けられているが、衛生洗浄装置１００の機能が「止ボタン」２３３ａおよび「おしり洗浄ボタン」２３３ｂだけしか設けられていないような単機能あるいは少数機能である場合には、それらの操作ボタンを袖部２２０の前方側に集中的に配置することができる。そのため、この場合であっても、便座３００に着座した使用者は、操作部２３０を操作する際に、より楽な姿勢で操作部２３０を操作することができる。
【００８０】
しかしながら、本実施形態にかかる衛生洗浄装置１００では、便器８００側の袖部２２０の側面に「水勢調整ボタン」２３３ｃ、２３３ｄなどの操作ボタンが設けられているため、便器８００側の袖部２２０の側面に配置された操作ボタンは、便器８００のボウル８０１で跳ね返った小水などにより汚れるおそれがある。そのため、便器８００側の袖部２２０の側面に配置された操作ボタンは、例えば蓋などにより覆われていることがより好ましい。これについて、次に図面を参照しつつ説明する。
【００８１】
図１３および図１４は、本実施形態の変形例にかかる袖部の蓋を例示する斜視模式図である。  
なお、図１３は、袖部の蓋と、袖部のケーシングと、が分解された斜視模式図であり、図１４は、袖部の蓋と、袖部のケーシングと、が組み立てられた斜視模式図である。  
また、便器８００の反対側の袖部２２０の側面に設けられた操作ボタンや、状態表示部２３５ａ〜２３５ｅや、機能表示部などについては、適宜省略する。
【００８２】
本変形例の袖部２２０のケーシング２２１の側面であって、便器８００側の側面には、図１３に表したように、凹部２２３が形成されている。そして、「水勢調整ボタン」２３３ｃ、２３３ｄ、「洗浄位置調整ボタン」２３３ｈ、２３３ｉ、および「温水温度調整ボタン」２３３ｊ、２３３ｋなどの調整ボタンは、凹部２２３の内部に設けられている。また、凹部２２３の壁面には、凹部２２３の内部に向かって突出した突起部２２３ａが設けられている。
【００８３】
また、本変形例の袖部２２０は、蓋２２５を有する。蓋２２５の側面には、凹部２２３に設けられた突起部２２３ａを挿入可能な挿入穴２２７が形成されている。また、蓋２２５の上部には、使用者が指を引っ掛けることができる指係部２２９が形成されている。
【００８４】
そして、袖部２２０のケーシング２２１と、蓋２２５と、を組み立てる場合には、図１３に表した二点鎖線のように、凹部２２３の突起部２２３ａと蓋２２５の挿入穴２２７とを係合させる。そうすると、図１４に表した矢印Ａ６のように、蓋２２５は、突起部２２３ａを中心として回動自在に開閉できる。このとき、使用者は、指係部２２９に自身の指を引っ掛けることができるため、より楽に蓋２２５を開けることができる。
【００８５】
このように、便器８００の反対側の袖部２２０の側面に設けられた操作ボタンは、蓋２２５が閉じている際には、その蓋２２５に覆われる。そのため、それらの操作ボタンは、便器８００のボウル８０１で跳ね返った小水などにより汚れるおそれは少ない。そのため、本実施形態にかかる衛生洗浄装置１００では、便器８００の反対側の袖部２２０の側面に設けられた操作部２３０の部分をより清潔に保つことができる。これによれば、便器８００側の袖部２２０の側面にも操作ボタンが設けられたことにより生ずる新たな課題を解決することができる。
【００８６】
使用者は、便器８００の反対側の袖部２２０の側面に設けられた操作ボタンを操作する際には、蓋２２５を開くことによりそれらの操作ボタンを操作することができる。このとき、使用者は、指係部２２９に自身の指を引っ掛けることができるため、より楽に蓋２２５を開けることができる。また、袖部２２０のケーシング２２１には、凹部２２３が形成されているため、袖部２２０のケーシング２２１の表面と蓋２２５の表面とを略同一面とすることができる。そのため、意匠性が損なわれるおそれは少ない。
【００８７】
なお、図１１および図１３に表したように、便器８００とは反対側の袖部２２０の側面には、機能部の動作に関する「おしり洗浄ボタン」２３３ｂなどの操作ボタン（以下、「動作系操作ボタン」という）が設けられていることがより好ましい。一方で、便器８００側の袖部２２０の側面には、機能部の設定あるいは調整に関する「水勢調整ボタン」２３３ｃ、２３３ｄなどの操作ボタン（以下、「設定系操作ボタン」という）が設けられていることがより好ましい。
【００８８】
これは、一般的に、動作系操作ボタンの使用頻度は、設定系操作ボタンの使用頻度よりも高いため、使用者は、蓋２５５を開けることなく楽に動作系操作ボタンを操作できることがより好ましいためである。しかしながら、動作系操作ボタンが便器８００側の袖部２２０の側面に設置されると、前述したように、それらの動作系操作ボタンは、小水などにより汚れるおそれがある。そのため、動作系操作ボタンは、便器８００とは反対側の袖部２２０の側面に設けられることがより好ましい。
【００８９】
一方、一般的に、設定系操作ボタンの使用頻度は、動作系操作ボタンの使用頻度よりも低い。そのため、使用者は、蓋２５５を開けて設定系操作ボタンを操作しても煩わしさを感ずるおそれは少ない。したがって、設定系操作ボタンは、便器８００側の袖部２２０の側面に設置され、蓋２２５に覆われることがより好ましい。これによれば、設定系操作ボタンは、便器８００のボウル８０１で跳ね返った小水などにより汚れるおそれは少なく蓋２５５により覆われるため、袖部２２０は、すっきりとしたデザインを有することができる。
【００９０】
また、本実施形態にかかる衛生洗浄装置１００では、スイッチ基板２４０の表裏両面にプッシュスイッチ２４１が実装され、そのスイッチ基板２４０は、プッシュスイッチ２４１を実装した面が便器８００側および便器８００とは反対側の両側面を向くように設けられているため、袖部２２０の横幅Ｗを小さくすることができる。つまり、便器８００の側方への袖部２２０の張り出し量を小さくすることができる。そのため、図５および図６に関して前述した効果と同様の効果が得られる。
【００９１】
また、便器８００とは反対側の袖部２２０の側面における表面シート２３１に設けられた「おしり洗浄ボタン」２３３ｂなどの操作ボタンに割り付けられた機能の動作内容を表す機能表示部は、袖部２２０の上面における表面シート２３１にそれぞれ表示されている。そのため、プッシュスイッチ２４１を実装した面が便器８００側および便器８００とは反対側の両側面を向くように、スイッチ基板２４０が設置されることにより生ずる新たな課題を解決することができる。
【００９２】
なお、図１２に関する説明では、説明の便宜上、「おしり洗浄ボタン」２３３ｂおよび「水勢調整ボタン」２３３ｄの近傍の内部構造を例に挙げて説明したが、他の操作ボタンの近傍の内部構造についても同様である。また、図７〜図１４に関して前述した第２および第３の実施形態にかかる衛生洗浄装置においても、スイッチ基板２４０に実装された発光部２４３から発光された光を状態表示部２３５ａ〜２３５ｅに案内する案内部２３６が設けられていてもよい。これによれば、発光部２４３から発光された光が、隣接する状態表示部へ漏れることを抑制することができ、使用者は、現在の設定状態をより確実に確認することができる。
【００９３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、袖部２２０などが備える各要素の形状、寸法、材質、配置などや操作部２３０や各種操作ボタンの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９４】
１００ 衛生洗浄装置、  ２００ ケーシング、  ２０１ 着座センサ、  ２１０ 本体部、  ２２０ 袖部、  ２２１ ケーシング、  ２２３ 凹部、  ２２３ａ 突起部、  ２２５ 蓋、  ２２７ 挿入穴、  ２２９ 指係部、  ２３０ 操作部、  ２３１ 表面シート、  ２３２ｂ 押圧部、  ２３３ａ 「止ボタン」、  ２３３ｂ 「おしり洗浄ボタン」、  ２３３ｃ、２３３ｄ 「水勢調整ボタン」、  ２３３ｅ 「やわらか洗浄ボタン」、  ２３３ｆ 「ビデ洗浄ボタン」、  ２３３ｇ 「乾燥ボタン」、  ２３３ｈ、２３３ｉ 「洗浄位置調整ボタン」、  ２３３ｊ、２３３ｋ  「温水温度調整ボタン」、  ２３４ｂ 伝達部、  ２３５、２３５ａ、２３５ｂ、２３５ｃ、２３５ｄ、２３５ｅ 状態表示部、  ２３６ 案内部、  ２３７、２３７ａ、２３７ｂ、２３７ｃ、２３７ｄ キートップ、  ２３８ａ、２３８ｂ、２３８ｃ、２３８ｄ 接続部、  ２３９ 状態表示穴、  ２４０ スイッチ基板、  ２４１ プッシュスイッチ、  ２４３ 発光部、  ２５５ 蓋、  ２８０ 吐水ノズル、  ３００ 便座、  ４００ 便蓋、  ８００ 便器、  ８０１ ボウル
【図１】
2011047172.tif 000003
【図２】
2011047172.tif 000004
【図３】
2011047172.tif 000005
【図４】
2011047172.tif 000006
【図５】
2011047172.tif 000007
【図６】
2011047172.tif 000008
【図７】
2011047172.tif 000009
【図８】
2011047172.tif 000010
【図９】
2011047172.tif 000011
【図１０】
2011047172.tif 000012
【図１１】
2011047172.tif 000013
【図１２】
2011047172.tif 000014
【図１３】
2011047172.tif 000015
【図１４】
2011047172.tif 000016